(57)【特許請求の範囲】
【請求項１】
戸当たりゴムを挿入するための開口部を設けたエレベーターのドアにおいて、
前記ドアは、断面がコの字形状であり、
前記戸当たりゴムが発炎した場合に前記開口部から前記ドアの内側に炎が延焼することを防止するカバーを備え、
前記カバーは、
前記ドアの内側かつ前記開口部近傍に設けられ、
前記開口部に挿入された場合に前記ドアの内側において露出している前記戸当たりゴムを前記開口部とともに前記ドアの内側から覆う形状を有し、
前記戸当たりゴム及び前記開口部を覆う部分においては前記戸当たりゴムの表面に沿った形状を有し、前記戸当たりゴム及び前記開口部を覆う部分以外の部分においては板形状を有し、前記板形状の部分は前記ドアの内側表面と密接して前記戸当たりゴムに対する酸素を遮断し、前記板形状の部分は、前記ドアのコの字形状が戸当たり部分から前記ドアの開方向に向けて折り返された部分の内側表面と密接する部分の一部で固定具により前記ドアに固定される
ことを特徴とするエレベーターのドア。
【請求項３】
光漏れ防止カバーを備え、
前記光漏れ防止カバーは、
前記ドアの外側表面と密接し、前記固定具により前記カバーとともに前記ドアに固定される
ことを特徴とする請求項１に記載のエレベーターのドア。
【請求項４】
前記開口部は、
前記ドアの高さ方向に分散して設けられ、
前記カバーは、
前記開口部に対応して設けられる
ことを特徴とする請求項１に記載のエレベーターのドア。
【請求項５】
前記戸当たりゴムは、
前記開口部に挿入する側の面に凹部を有し、
前記カバーは、
前記凹部に対向する面に凸部を有し、
前記戸当たりゴムが前記開口部に挿入された場合、前記凹部と前記凸部とが嵌合する
ことを特徴とする請求項１に記載のエレベーターのドア。
【発明の詳細な説明】
【技術分野】
【０００１】  本発明は、エレベーターのドアに関する。
【背景技術】
【０００２】  特許文献１には、ドアが２枚で中央から開くタイプのエレベーターの戸当たり部分の構造が開示されている。具体的には、戸当たり先端部がＬ字形のドア板と、ドア板の内側に固着され断面がＺ字形のＺ字形金具と、ドア板の外側に固着され断面がコ字形のコ字形金具と、コ字形金具の凹部に収納され一部が突出した弾性体とから構成される戸当たり部分の構造が開示されている。このように戸当たり部分を構成することにより、戸当たり部分の構造を簡単にすることができるとしている。【０００３】  特許文献２には、ドアが２枚で片開きタイプのエレベーターの戸当たり部分の構造が開示されている。具体的には、戸当たりゴムと、戸当たりゴムのネジ部に螺合され乗場三方枠に設けられた取付穴からその裏側に挿入可能な取付金具と、取付金具に設けられた子ネジとから構成される戸当たり部分の構造が開示されている。この戸当たり部分の構造によれば、乗場側からの作業だけで戸当たりゴムを簡単かつ確実に取り付けることができるとしている。
【先行技術文献】
【特許文献】
【０００４】
【特許文献１】特開平０６−１１５８６３号公報
【特許文献２】特開平０９−２０４８８号公報
【発明の概要】
【発明が解決しようとする課題】
【０００５】  ところで火災が発生した場合、乗場側の炎が昇降路側に延焼することを防止するためには、戸当たり部分、特に戸当たりゴムの発炎を抑える必要がある。【０００６】  しかし特許文献１及び２には、戸当たりゴムの発炎を抑える構造について何ら開示されていない。よって特許文献１及び２に記載の戸当たり部分の構造では、乗場側からの熱がドアから戸当たりゴムに伝わり、戸当たりゴムから発炎するおそれがある。【０００７】  なお特許文献１にはＺ字形金具を備えた構造が開示されており、このＺ字形金具によって、弾性体が発炎した場合には昇降路側に炎が延焼することを防止し得るとも考えられる。しかし戸当たり部分全域に取り付けられるＺ字形金具は、実際には取り付け誤差が生じるため、Ｚ字形金具とドア板との間に隙間が発生し、炎の延焼を確実に防止することはできない。【０００８】  本発明は以上の点を考慮してなされたもので、戸当たりゴムの発炎を安価に防止し得るエレベーターのドアを提案するものである。
【課題を解決するための手段】
【０００９】  かかる課題を解決するために、本発明におけるエレベーターのドアは、戸当たりゴムを挿入するための開口部を設けたエレベーターのドアにおいて、戸当たりゴムが発炎した場合に開口部からドアの内側に炎が延焼することを防止するカバーを備え、カバーは、ドアの内側かつ開口部近傍に設けられ、開口部に挿入された場合にドアの内側において露出する戸当たりゴムを開口部とともにドアの内側から覆う形状を有することを特徴とする特徴とする。
【発明の効果】
【００１０】  本発明によれば、戸当たりゴムの発炎を安価に防止することができる。
【図面の簡単な説明】
【００１１】
【図１】本実施の形態におけるドアの正面構成図である。
【図２】戸当たり部分のドアの断面構成図である。
【図３】ゴムカバーの上面構成図である。
【図４】ゴムカバーの正面構成図である。
【図５】他の実施の形態における戸当たり部分のドアの断面構成図である。
【図６】ゴムカバーの上面構成図である。
【図７】ゴムカバーの正面構成図である。
【図８】戸当たりゴムの斜視図である。
【発明を実施するための形態】
【００１２】  以下図面について、本発明の一実施の形態を詳述する。
【００１３】  図１は、本実施の形態におけるエレベーターのドア１００の正面構成を示す。このドア１００の正面構成は、昇降路内から乗場側を見たときのドア１００の正面構成である。
【００１４】  ドア１００は、２枚中央開きタイプのドアであり、２枚のドア１００が左右に移動して開閉動作する。ドア１００は、戸当たり部分において、全閉時にドア１００同士の衝突による衝撃を緩和させるために戸当たりゴム１０１を備えて構成される。
【００１５】  なおここでは２枚のドア１００のうちの一方のドア１００の上部及び下部にそれぞれ戸当たりゴム１０１が１つずつ取り付けられているが、必ずしもこれに限らず、例えば中央にも戸当たりゴム１０１が取り付けられるとしてもよい。
【００１６】  戸当たり部分におけるドア１００のＡ１−Ａ２断面については図２において説明し、戸当たり部分をＢ１方向から見たゴムカバーの上面構成については図３において説明する。
【００１７】  図２は、戸当たり部分のドア１００の断面構成を示す。図２に示すドア１００の断面構成は、図１に示すＡ１−Ａ２断面に対応する。
【００１８】  ドア１００は、戸当たりゴム１０１、ゴムカバー１０２、光漏れ防止カバー１０３及び固定具１０４を備えて構成される。戸当たりゴム１０１は、一般的な形状及び材質のゴムであり、ドア１００に設けられた開口部に乗場側から挿入されて、ゴム自身の弾力によってドア１００に固定される。
【００１９】  ゴムカバー１０２は、頂部を除いた円錐形状を有して構成され、ドア１００の内側から戸当たりゴム１０１の全面を覆うようにして取り付けられる。ゴムカバー１０２は、例えばステンレスで構成される。
【００２０】  光漏れ防止カバー１０３は、昇降路側のドア１００の昇降路内側の表面に取り付けられ、かつ、乗場側から昇降路内に又は昇降路内から乗場側に進入する光を遮断するように取り付けられる。また光漏れ防止カバー１０３は、昇降路内からの光を遮断するだけでなく、昇降路内から乗場側に又は乗場側から昇降路内に炎が延焼することを防止する。
【００２１】  固定具１０４は、昇降路側のドア１００の表面においてゴムカバー１０２及び光漏れ防止カバー１０３を共締めするための部材である。固定具１０４は、例えばネジ又はリベットである。
【００２２】  図３は、ゴムカバー１０２の上面構成を示す。図３に示すゴムカバー１０２の上面構成は、図１に示すＢ１方向からゴムカバー１０２だけを見た場合の上面構成である。
【００２３】  ゴムカバー１０２は、Ｂ１方向から見ると、底面１０２１、斜面１０２２及びドア内側面密接部１０２３から構成される。底面１０２１は、戸当たりゴム１０１が挿入される開口部に位置し、戸当たりゴム１０１の反戸当たり面と対向する。斜面１０２２は、底面１０２１と同様、開口部に位置し、戸当たりゴム１０１の側面と対向する。ドア内側面密接部１０２３は、開口部以外に位置し、ドア１００の内側表面と密接する。
【００２４】  ゴムカバー１０２をＣ１方向から見たゴムカバー１０２の正面構成については図４において説明する。
【００２５】  図４は、ゴムカバー１０２の正面構成を示す。また同時にＤ１−Ｄ２断面の構成を示す。図４に示すゴムカバー１０２の正面構成は、図３に示すＣ１方向から見た場合の正面構成である。
【００２６】  ゴムカバー１０２は、Ｃ１方向から見ると、底面１０２１、斜面１０２２及びドア内側面密接部１０２３から構成される。底面１０２１、斜面１０２２及びドア内側面密接部１０２３は、図３において説明した底面１０２１、斜面１０２２及びドア内側面密接部１０２３と対応する。
【００２７】  以上のように本実施の形態においては、ドア１００の内側において露出している戸当たりゴム１０１をドア１００の内側から覆うことにより戸当たりゴム１０１に対して酸素を遮断するゴムカバー１０２を設置するようにしたので、乗場側からの炎でドア１００が熱せられても、戸当たりゴム１０１の発炎を安価に抑えて延焼を防止することができる。
【００２８】  図５は、他の実施の形態における戸当たり部分のドア１００の断面構成を示す。図５に示すドア１００の断面構成は、図１に示すＡ１−Ａ２断面に対応する。ここでは上述してきた部材と同様の部材については同一の符号を付してその説明を省略し、異なる構成について説明する。
【００２９】  戸当たりゴム１０１Ａは、一部に凹部を有して構成され、凹部側をドア１００に設けられた開口部に挿入されて、ゴム自身の弾力によってドア１００に固定される。ゴムカバー１０２Ａは、頂部を除いた円錐形状を有して構成され、かつ、底面に凸部を有して構成され、ドア１００の内側から戸当たりゴム１０１の全面を覆うようにして取り付けられる。
【００３０】  戸当たりゴム１０１Ａ及びゴムカバー１０２Ａが設置された状態においては、戸当たりゴム１０１Ａの凸部と、ゴムカバー１０２Ａの凹部とが嵌合する。この凹部と凸部とが嵌合することにより、戸当たりゴム１０１Ａがドア１００から外れにくくなる。
【００３１】  図６は、ゴムカバー１０２Ａの上面構成を示す。図６に示すゴムカバー１０２Ａの上面構成は、図１に示すＢ１方向からゴムカバー１０２Ａだけを見た場合の上面構成である。
【００３２】  ゴムカバー１０２Ａは、Ｂ１方向から見ると、凸部１０２１Ａ、底面１０２２Ａ、斜面１０２３Ａ及びドア内側面密接部１０２４Ａから構成される。凸部１０２１Ａは、戸当たりゴム１０１Ａが挿入される開口部に位置し、戸当たりゴム１０１Ａの凹部と嵌合する。
【００３３】  底面１０２２Ａは、凸部１０２１Ａと同様、開口部に位置し、戸当たりゴム１０１Ａの反戸当たり面のうちの凸部以外の面と対向する。斜面１０２３Ａは、凸部１０２１Ａと同様、開口部に位置し、戸当たりゴム１０１Ａの側面と対向する。ドア内側面密接部１０２４Ａは、開口部以外に位置し、ドア１００の内側表面と密接する。
【００３４】  ゴムカバー１０２をＥ１方向から見たゴムカバー１０２Ａの正面構成については図７において説明する。
【００３５】  図７は、ゴムカバー１０２Ａの正面構成を示す。また同時にＦ１−Ｆ２断面の構成を示す。図７に示すゴムカバー１０２Ａの正面構成は、図６に示すＥ１方向から見た場合の正面構成である。
【００３６】  ゴムカバー１０２Ａは、Ｅ１方向から見ると、凸部１０２１Ａ、底面１０２２Ａ、斜面１０２３Ａ及びドア内側面密接部１０２４Ａから構成される。凸部１０２１Ａ、底面１０２２Ａ、斜面１０２３Ａ及びドア内側面密接部１０２４Ａは、図６において説明した凸部１０２１Ａ、底面１０２２Ａ、斜面１０２３Ａ及びドア内側面密接部１０２４Ａと対応する。
【００３７】  図８は、戸当たりゴム１０１Ａの斜視構成を示す。戸当たりゴム１０１Ａは、上述したように凹部１０１１Ａを有して構成され、この凹部１０１１Ａがゴムカバー１０２Ａの凸部１０２１Ａと嵌合する。
【００３８】  以上のように他の実施の形態においては、ドア１００の内側において露出している戸当たりゴム１０１Ａをドア１００の内側から覆うことにより戸当たりゴム１０１Ａに対して酸素を遮断するゴムカバー１０２Ａを設置し、ゴムカバー１０２Ａには戸当たりゴム１０１Ａの凹部１０１１Ａと嵌合する凸部１０２１Ａを設けるようにしたので、戸当たりゴム１０１Ａをドア１００から外れにくくすることができるとともに、乗場側からの炎でドア１００が熱せられても、戸当たりゴム１０１Ａの発炎を安価に抑えて延焼を防止することができる。
【符号の説明】
【００３９】１００            ドア１０１、１０１Ａ  戸当たりゴム１０２、１０２Ａ  ゴムカバー 
【図１】
0006002326.tif 000002
【図２】
0006002326.tif 000003
【図３】
0006002326.tif 000004
【図４】
0006002326.tif 000005
【図５】
0006002326.tif 000006
【図６】
0006002326.tif 000007
【図７】
0006002326.tif 000008
【図８】
0006002326.tif 000009